(57)【要約】【課題】  事前にＲＯＭからＲＡＭへプログラムの転送を行って、電源スイッチオン後の立ち上がりを速くする。また、電池パックの電圧が低下した時には、ＲＡＭの電源を停止して電源スイッチオン後の電池パック残量に余裕を持たせると共に、再転送を行ってＲＡＭのデータが壊れたことに対するフェールセーフ対応を行うことができる携帯端末を提供する。【解決手段】  電池パック１の装着時、各部の電源をオンにして格納メモリ７からＲＡＭ８へプログラム転送を行い、完了すると主制御用電源５１をオフにする。次に、電池パック電圧が所定電圧Ｖ２以下に下がると、ＲＡＭ用電源５２をオフにする。所定電圧Ｖ２以上が継続する場合は何も行わない。そして、電源スイッチ３がオンになると、各部の電源をオンにして、ＲＡＭ８内の所定のプログラムの有無を確認し、無ければプログラム転送を行い、有ればプログラム転送は行わないで、初期化と通常動作を行う。【選択図】  図３
2006135848.tif 000002
【特許請求の範囲】
【請求項１】
電池パックの装着を検出する電池パック検出手段と、
前記電池パックの電圧を検出する電圧検出手段と、
携帯端末の電源操作用の電源スイッチと、
プログラムを格納する格納メモリと、
プログラム使用領域として使用するワーキングメモリと、
携帯端末の主制御を行う主制御手段と、
前記電池パックからの供給電源を前記格納メモリ用および前記主制御手段用の主制御用電
源と前記ワーキングメモリ用のワーキングメモリ用電源とに分配すると共に、当該主制御
用電源およびワーキングメモリ用電源のオンオフ制御を行う電源制御手段と
を具備し、
前記主制御手段は、前記主制御用電源がオン時に、前記ワーキングメモリに所定のプログ
ラムが無ければ前記格納メモリから前記ワーキングメモリへプログラムを転送し、
前記電源制御手段は、前記電池パック検出時に前記主制御用電源および前記ワーキングメ
モリ用電源をオンにし、前記転送終了時に前記主制御用電源をオフにし、当該主制御用電
源オフ中に前記電池パックの電圧が所定電圧以下となった時に前記ワーキングメモリ用電
源をオフにすると共に、前記電源スイッチオン検出時に前記主制御用電源および前記ワー
キングメモリ用電源をオンにする
ことを特徴とする携帯端末。
【請求項２】
前記電源制御手段は、前記電池パック検出時に前記電池パック電圧が所定電圧以上であ
れば前記主制御用電源および前記ワーキングメモリ用電源をオンにし、前記転送終了時に
前記主制御用電源をオフにし、当該主制御用電源オフ中に前記電池パックの電圧が所定電
圧以下となった時に前記ワーキングメモリ用電源をオフにすると共に、前記電源スイッチ
オン検出時に前記主制御用電源および前記ワーキングメモリ用電源をオンにすることを特
徴とする請求項１に記載の携帯端末。
【請求項３】
前記電池パックの装着検出は、電池パックの電圧が印加されたことを検出して電池パッ
ク装着および電池パック電圧の瞬断回復の検出であることを特徴とする請求項１に記載の
携帯端末。
【請求項４】
電池パックの装着を検出する電池パック検出手段と、
前記電池パックの電圧を検出する電圧検出手段と、
プログラムを格納する格納メモリと、
プログラム使用領域として使用するワーキングメモリと、
携帯端末の主制御を行う主制御手段と、
前記ワーキングメモリへバックアップ用として電源供給するバックアップ電池と、
前記電池パックからの供給電源を前記格納メモリ用および前記主制御手段用の主制御用電
源と前記ワーキングメモリ用のワーキングメモリ用電源とに分配すると共に、当該主制御
用電源およびワーキングメモリ用電源のオンオフ制御を行う電源制御手段と
を具備し、
前記主制御手段は、前記主制御用電源がオン時に、前記ワーキングメモリに所定のプログ
ラムが無ければ前記格納メモリから前記ワーキングメモリへプログラムを転送して転送終
了信号を前記電源制御手段へ送信し、前記ワーキングメモリに所定のプログラムが途中分
まであれば前記格納メモリから前記ワーキングメモリへプログラムの続きを転送して転送
終了信号を前記電源制御手段へ送信し、前記ワーキングメモリに所定のプログラムが完了
していれば転送終了信号を前記電源制御手段へ送信し、
前記電源制御手段は、前記電池パック検出時に前記主制御用電源および前記ワーキングメ
モリ用電源をオンにし、前記転送終了信号受信時に前記主制御用電源をオフにし、当該主
制御用電源オフ中に前記電池パックの電圧が所定電圧以下となった時に前記ワーキングメ
モリ用電源をオフにする
ことを特徴とする携帯端末。
【請求項５】
電池パックの装着を検出する電池パック検出手段と、
前記電池パックの電圧を検出する電圧検出手段と、
プログラムを格納する格納メモリと、
プログラム使用領域として使用するワーキングメモリと、
携帯端末の主制御を行う主制御手段と、
前記ワーキングメモリへ電源供給するバックアップ電池と、
前記電池パックからの供給電源を前記格納メモリ用および前記主制御手段用の主制御用電
源として供給すると共に、当該主制御用電源のオンオフ制御を行う電源制御手段と
を具備し、
前記主制御手段は、前記主制御用電源がオン時に、前記ワーキングメモリに所定のプログ
ラムが無ければ前記格納メモリから前記ワーキングメモリへプログラムを転送して転送終
了信号を前記電源制御手段へ送信し、前記ワーキングメモリに所定のプログラムが途中分
まであれば前記格納メモリから前記ワーキングメモリへプログラムの続きを転送して転送
終了信号を前記電源制御手段へ送信し、前記ワーキングメモリに所定のプログラムが完了
していれば転送終了信号を前記電源制御手段へ送信し、
前記電源制御手段は、前記電池パック検出時に前記主制御用電源をオンにし、前記転送終
了信号受信時に前記主制御用電源をオフにする
ことを特徴とする携帯端末。
【請求項６】
折り畳み式携帯端末の蓋開け検出を行う蓋開け検出スイッチと、
当該折り畳み式携帯端末の電源操作用の電源スイッチと、
プログラムを格納する格納メモリと、
プログラム使用領域として使用するワーキングメモリと、
携帯端末の主制御を行う主制御手段と、
前記電池パックからの供給電源を前記格納メモリ用および前記主制御手段用の主制御用電
源と前記ワーキングメモリ用のワーキングメモリ用電源とに分配すると共に、当該主制御
用電源およびワーキングメモリ用電源のオンオフ制御を行う電源制御手段と
を具備し、
前記主制御手段は、前記主制御用電源がオン時に、前記ワーキングメモリに所定のプログ
ラムが無ければ前記格納メモリから前記ワーキングメモリへプログラムを転送し、
前記電源制御手段は、前記蓋開け検出時および前記電源スイッチオン検出時に前記主制御
用電源および前記ワーキングメモリ用電源をオンにする
ことを特徴とする携帯端末。
【請求項７】
電池パックの装着を検出する電池パック検出手段と、
前記電池パックの電圧を検出する電圧検出手段と、
携帯端末の電源操作用の電源スイッチと、
プログラムを格納する格納メモリと、
プログラム使用領域として使用するワーキングメモリと、
携帯端末の主制御を行う主制御手段と、
前記電池パックからの供給電源を前記格納メモリ用および前記主制御手段用の主制御用電
源と前記ワーキングメモリ用のワーキングメモリ用電源とに分配すると共に、当該主制御
用電源およびワーキングメモリ用電源のオンオフ制御を行う電源制御手段と
を具備する携帯端末の制御方法であって、
前記電池パック検出時に前記主制御用電源および前記ワーキングメモリ用電源をオンにし
、
前記ワーキングメモリに所定のプログラムが無ければ前記格納メモリから前記ワーキング
メモリへプログラムを転送し、
前記転送終了時に前記主制御用電源をオフにし、
当該主制御用電源オフ中に前記電池パックの電圧が所定電圧以下となった時に前記ワーキ
ングメモリ用電源をオフにし、
前記電源スイッチオン検出時に前記主制御用電源および前記ワーキングメモリ用電源をオ
ンにする
ことを特徴とする携帯端末の制御方法。
【請求項８】
電池パックの装着を検出する電池パック検出手段と、
電源オン要因を検出する電源オン検出手段と、
プログラムを格納する格納メモリと、
加入者情報を格納する加入者情報メモリと、
プログラム使用領域として使用するワーキングメモリと、
携帯端末の主制御を行う主制御手段と、
前記電池パックからの供給電源を前記格納メモリ用および前記主制御手段用の主制御用電
源と前記ワーキングメモリ用のワーキングメモリ用電源とに分配すると共に、当該主制御
用電源およびワーキングメモリ用電源のオンオフ制御を行う電源制御手段と
を具備する携帯端末であって、
前記電池パック検出時に前記主制御用電源および前記ワーキングメモリ用電源をオンにし
、
前記加入者情報メモリに加入者情報が無い場合、前記主制御用電源および前記ワーキング
メモリ用電源をオフにし、
前記加入者情報メモリに加入者情報が有る場合、前記格納メモリから前記ワーキングメモ
リへプログラムを転送して主制御用電源をオフにし、
前記電源オン要因検出時に前記ワーキングメモリ内のプログラムを実行する
ことを特徴とする携帯端末。
【請求項９】
電池パックの装着を検出する電池パック検出手段と、
電源オン要因を検出する電源オン検出手段と、
電源オフ要因を検出する電源オフ検出手段と、
プログラムを格納する格納メモリと、
加入者情報を格納する加入者情報メモリと、
プログラム使用領域として使用するワーキングメモリと、
携帯端末の主制御を行う主制御手段と、
前記電池パックからの供給電源を前記格納メモリ用および前記主制御手段用の主制御用電
源と前記ワーキングメモリ用のワーキングメモリ用電源とに分配すると共に、当該主制御
用電源およびワーキングメモリ用電源のオンオフ制御を行う電源制御手段と
を具備する携帯端末であって、
前記電池パック検出時に前記主制御用電源および前記ワーキングメモリ用電源をオンにし
、
前記電池パック検出時および前記電源オフ要因検出時に前記加入者情報メモリをチェック
し、
前記加入者情報メモリに加入者情報が無い場合、前記主制御用電源および前記ワーキング
メモリ用電源をオフにし、
前記加入者情報メモリに加入者情報が有る場合、前記格納メモリから前記ワーキングメモ
リへプログラムを転送して主制御用電源をオフにし、
前記電源オン要因検出時に前記ワーキングメモリ内のプログラムを実行する
ことを特徴とする携帯端末。
【請求項１０】
電池パックの装着を検出する電池パック検出手段と、
前記電池パックの電圧を検出する電圧検出手段と、
電源オン要因を検出する電源オン検出手段と、
プログラムを格納する格納メモリと、
加入者情報を格納する加入者情報メモリと、
プログラム使用領域として使用するワーキングメモリと、
携帯端末の主制御を行う主制御手段と、
前記電池パックからの供給電源を前記格納メモリ用および前記主制御手段用の主制御用電
源と前記ワーキングメモリ用のワーキングメモリ用電源とに分配すると共に、当該主制御
用電源およびワーキングメモリ用電源のオンオフ制御を行う電源制御手段と
を具備する携帯端末であって、
前記電池パック検出時に前記主制御用電源および前記ワーキングメモリ用電源をオンにし
、
前記加入者情報メモリに加入者情報が無い場合、前記主制御用電源および前記ワーキング
メモリ用電源をオフにし、
前記加入者情報メモリに加入者情報が有る場合、前記格納メモリから前記ワーキングメモ
リへプログラムを転送して主制御用電源をオフにし、
前記主制御用電源オフ後の前記電池パック電圧が所定電圧以下であれば前記ワーキングメ
モリ用電源をオフにし、
前記電源オン要因検出時に前記ワーキングメモリ内のプログラムを実行する
ことを特徴とする携帯端末。
【請求項１１】
電池パックの装着を検出する電池パック検出手段と、
前記電池パックの電圧を検出する電圧検出手段と、
電源オン要因を検出する電源オン検出手段と、
電源オフ要因を検出する電源オフ検出手段と、
プログラムを格納する格納メモリと、
加入者情報を格納する加入者情報メモリと、
プログラム使用領域として使用するワーキングメモリと、
携帯端末の主制御を行う主制御手段と、
前記電池パックからの供給電源を前記格納メモリ用および前記主制御手段用の主制御用電
源と前記ワーキングメモリ用のワーキングメモリ用電源とに分配すると共に、当該主制御
用電源およびワーキングメモリ用電源のオンオフ制御を行う電源制御手段と
を具備する携帯端末であって、
前記電池パック検出時に前記主制御用電源および前記ワーキングメモリ用電源をオンにし
、
前記電池パック検出時および前記電源オフ要因検出時に前記加入者情報メモリをチェック
し、
前記加入者情報メモリに加入者情報が無い場合、前記主制御用電源および前記ワーキング
メモリ用電源をオフにし、
前記加入者情報メモリに加入者情報が有る場合、前記格納メモリから前記ワーキングメモ
リへプログラムを転送して主制御用電源をオフにし、
前記主制御用電源オフ後の前記電池パック電圧が所定電圧以下であれば前記ワーキングメ
モリ用電源をオフにし、
前記電源オン要因検出時に前記ワーキングメモリ内のプログラムを実行する
ことを特徴とする携帯端末。
【発明の詳細な説明】
【技術分野】
【０００１】
本発明は、携帯端末における格納プログラムの使用メモリへの転送およびその実行に関
するもので、特に、電池パックの装着や電池パック電圧に関連付けた制御を行う携帯端末
および当該端末の制御方法に関する。
【背景技術】
【０００２】
（背景技術１）
ブートプログラム及びＯＳやアプリケーションプログラムを格納するための外付けのマ
スタＲＯＭを備え、これらのプログラムを携帯型情報端末に転送するプログラム格納方法
及び携帯型情報端末がある（例えば、特許文献１参照。）。  
この特許文献１の携帯型情報端末にあっては、バッテリーの充電時に外付けのマスタＲ
ＯＭから携帯型情報端末のＲＡＭへブートプログラムを転送し、転送後は、情報端末の電
源オフ時にもＲＡＭの内容を保持するための電源は供給し続ける。そして、次の電源立ち
上げ時に、ＲＡＭ４のブートプログラムを使用して立ち上げを行う。  
このように、携帯型情報端末のブートプログラム及びＯＳやアプリケーションプログラ
ムを格納するための不揮発性メモリ等を削減し、さらに、複数の携帯型情報端末のプログ
ラムを常に最新にアップデートされたものに維持することができる。
【０００３】
（背景技術２）
通常動作状態でのみＲＯＭ等へ電力を供給する第１の電源と、通常動作状態だけでなく
電源オフ状態時にも高速記憶素子へ電力を供給する第２の電源とを有する情報処理装置及
びそのブート方法がある（例えば、特許文献２参照。）。  
この特許文献２の情報処理装置にあっては、ＲＯＭに格納されたＢＩＯＳコードを高速
記憶素子にコピーし、第１の電源オフ後に第１の電源がオンとなった時点で高速記憶素子
の記憶内容を読み出して装置をブートさせる。  
このように、ＲＯＭの読み出しに比べてはるかに短時間で読み出しできる高速記憶素子
からの読み出し内容に基づいて、装置をブートして立ち上がりを高速に行うことができる
。
【０００４】
（背景技術３）
バッテリー消耗時の緊急呼の発信制御機能に関する携帯電話機およびその発着信制御方
法がある（例えば、特許文献３参照。）。  
この特許文献３の携帯電話機にあっては、バッテリーの消耗度が所定の値を超えたとき
には、電源供給を停止する。次に、緊急ボタンが押下されると、電源供給を再開し、連絡
先番号に発信し、通話処理を行う。  
このように、バッテリー残量が少なくなってきた時に、バッテリーの消耗を抑え、緊急
通信を行う余裕を持たせることができる。
【特許文献１】特開平１１−１７５４１４号公報（第３〜４頁、図１）
【特許文献２】特開平１１−１８４７０３号公報（第２〜３頁、図１）
【特許文献３】特開２００１−８２６７号公報（第４頁、図１、図４）
【発明の開示】
【発明が解決しようとする課題】
【０００５】
従来の特許文献１〜２に開示された装置および方法では、プログラム等の転送先のＲＡ
Ｍや高速記憶素子等への供給電源が電圧低下したり瞬断した時には、ＲＡＭや高速記憶素
子等のデータが壊れてしまい、電源オン後のプログラムが暴走してしまう恐れがある。そ
の場合に、どう処理するかの記載がない。  
また、従来の特許文献３に開示された携帯電話機では、バッテリーの消耗度が所定の値
を超えたときには、電源供給を停止するが、それにより壊れたデータに対する処理の記載
がない。
【０００６】
また、従来の特許文献１〜２に開示された装置および方法では、装置メーカーの工場出
荷時からユーザー使用に至るまでのバッテリー消耗の低減についての記載がない。
【０００７】
本発明は、上記の問題点を解決するためになされたもので、事前にＲＯＭからＲＡＭへ
プログラム等の転送を行って、電源オン後の立ち上がりを速くする。また、ＲＡＭへの供
給電源が電圧低下したり瞬断した時には、ＲＡＭのデータが壊れてしまうために、ＲＡＭ
への無駄な電源供給を停止する。それにより、電源オン後の所望の通信動作を行うための
バッテリー残量に余裕を持たせると共に、プログラム等の再転送を行ってＲＡＭのデータ
が壊れたことに対するフェールセーフ対応を行うことができる携帯端末および当該端末の
制御方法を提供することを目的とする。
【０００８】
また、ユーザー使用時の電源オン後の立ち上がりを速くすると共に、携帯端末メーカー
の工場出荷時からユーザー使用に至るまでのバッテリー消耗の低減を行うことができる携
帯端末および当該端末の制御方法を提供することを目的とする。
【課題を解決するための手段】
【０００９】
上記目的を達成するために、本発明の携帯端末は、電池パックの装着を検出する電池パ
ック検出手段と、前記電池パックの電圧を検出する電圧検出手段と、携帯端末の電源操作
用の電源スイッチと、プログラムを格納する格納メモリと、プログラム使用領域として使
用するワーキングメモリと、携帯端末の主制御を行う主制御手段と、前記電池パックから
の供給電源を前記格納メモリ用および前記主制御手段用の主制御用電源と前記ワーキング
メモリ用のワーキングメモリ用電源とに分配すると共に、当該主制御用電源およびワーキ
ングメモリ用電源のオンオフ制御を行う電源制御手段とを具備し、前記主制御手段は、前
記主制御用電源がオン時に、前記ワーキングメモリに所定のプログラムが無ければ前記格
納メモリから前記ワーキングメモリへプログラムを転送し、前記電源制御手段は、前記電
池パック検出時に前記主制御用電源および前記ワーキングメモリ用電源をオンにし、前記
転送終了時に前記主制御用電源をオフにし、当該主制御用電源オフ中に前記電池パックの
電圧が所定電圧以下となった時に前記ワーキングメモリ用電源をオフにすると共に、前記
電源スイッチオン検出時に前記主制御用電源および前記ワーキングメモリ用電源をオンに
することを特徴とする。  
また、本発明の携帯端末の制御方法は、電池パックの装着を検出する電池パック検出手
段と、前記電池パックの電圧を検出する電圧検出手段と、携帯端末の電源操作用の電源ス
イッチと、プログラムを格納する格納メモリと、プログラム使用領域として使用するワー
キングメモリと、携帯端末の主制御を行う主制御手段と、前記電池パックからの供給電源
を前記格納メモリ用および前記主制御手段用の主制御用電源と前記ワーキングメモリ用の
ワーキングメモリ用電源とに分配すると共に、当該主制御用電源およびワーキングメモリ
用電源のオンオフ制御を行う電源制御手段とを具備する携帯端末の制御方法であって、前
記電池パック検出時に前記主制御用電源および前記ワーキングメモリ用電源をオンにし、
前記ワーキングメモリに所定のプログラムが無ければ前記格納メモリから前記ワーキング
メモリへプログラムを転送し、前記転送終了時に前記主制御用電源をオフにし、当該主制
御用電源オフ中に前記電池パックの電圧が所定電圧以下となった時に前記ワーキングメモ
リ用電源をオフにし、前記電源スイッチオン検出時に前記主制御用電源および前記ワーキ
ングメモリ用電源をオンにすることを特徴とする。
【００１０】
また、本発明の携帯端末は、電池パックの装着を検出する電池パック検出手段と、電源
オン要因を検出する電源オン検出手段と、プログラムを格納する格納メモリと、加入者情
報を格納する加入者情報メモリと、プログラム使用領域として使用するワーキングメモリ
と、携帯端末の主制御を行う主制御手段と、前記電池パックからの供給電源を前記格納メ
モリ用および前記主制御手段用の主制御用電源と前記ワーキングメモリ用のワーキングメ
モリ用電源とに分配すると共に、当該主制御用電源およびワーキングメモリ用電源のオン
オフ制御を行う電源制御手段とを具備する携帯端末であって、前記電池パック検出時に前
記主制御用電源および前記ワーキングメモリ用電源をオンにし、前記加入者情報メモリに
加入者情報が無い場合、前記主制御用電源および前記ワーキングメモリ用電源をオフにし
、前記加入者情報メモリに加入者情報が有る場合、前記格納メモリから前記ワーキングメ
モリへプログラムを転送して主制御用電源をオフにし、前記電源オン要因検出時に前記ワ
ーキングメモリ内のプログラムを実行することを特徴とする。
【発明の効果】
【００１１】
本発明によれば、事前にＲＯＭからＲＡＭへプログラム等の転送を行って、電源オン後
の立ち上がりを速くすることができる。また、ＲＡＭへの供給電源が電圧低下したり瞬断
した時には、ＲＡＭのデータが壊れてしまうために、ＲＡＭへの無駄な電源供給を停止す
る。それにより、電源オン後の通信動作に余裕を持たせると共に、プログラム等の再転送
を行ってＲＡＭのデータが壊れたことに対するフェールセーフ対応を行うことが可能とな
る。
【００１２】
また、ユーザー使用時の電源オン後の立ち上がりを速くすると共に、携帯端末メーカー
の工場出荷時からユーザー使用に至るまでのバッテリー消耗の低減を行い、ユーザー初期
使用時の所定動作の保証をも行うことができる。
【発明を実施するための最良の形態】
【００１３】
以下、本発明の実施例を、図面を参照して説明する。  
図１は、各実施例に係る携帯端末の主要部の構成を示すブロック図である。携帯端末の
主要部は、電池パック１、電池パック１の装着接続用のコネクタ２、電源スイッチ３、開
閉式筐体の蓋開け検出スイッチ４、電源制御部５、携帯端末の主制御を行う主制御部６、
プログラム等を格納する不揮発性の格納メモリ７、加入者契約時に加入者情報を格納する
加入者情報メモリ７１、揮発性のワーキングメモリであるＲＡＭ８、このＲＡＭ８の電源
をバックアップするバックアップ電池９などから構成される。このバックアップ電池９に
ついては、実施例により、設けない場合と設ける場合がある。また、蓋開け検出スイッチ
４についても、実施例により、設けない場合と設ける場合がある。また、加入者情報メモ
リ７１は、実施例４のみで使用する。
【００１４】
更に、電源制御部５は、主制御部６および格納メモリ７用の安定化電源を供給する主制
御用電源５１、ＲＡＭ８用の安定化電源を供給するＲＡＭ用電源５２、主制御用電源５１
とＲＡＭ用電源５２の電源オンオフ制御を行う電源オンオフ部５３、電池パック１の装着
を検出する電池パック装着検出部５４、電池パック１の電圧を検出する電池パック電圧検
出部５５などから構成される。電源制御部５は、電池パック１から直接に電源供給を受け
て動作する。  
携帯端末の電源系統は、電池パック１から主制御用電源５１を経由して主制御部６およ
び格納メモリ７へ電源供給するラインと、電池パック１からＲＡＭ用電源５２を経由して
ＲＡＭ８へ電源供給するラインとに分配される。また、ＲＡＭ８は、ＲＡＭ用電源５２と
は別にバックアップ電池９からバックアップ電源が供給される。なお、このバックアップ
電池９を設ける場合、バックアップ電池９の容量が十分大きければＲＡＭ用電源５２は無
くてもよい。
【００１５】
次に、動作について説明する。電池パック１は、携帯端末本体に対して装着および抜き
取りが可能な構造であり、バネ状の接点などからなるコネクタ２により電気的に接続され
る。このような構造のため、振動や落下により、電源の瞬断が起きることがある。  
電池パック装着検出部５４は、電池パック１が装着された時、その電圧上昇を検出して
電池パック１が装着されたことを検出する。電圧上昇を検出することにより、電池パック
１の装着だけではなく、瞬断回復時の検出も行うことができる。  
なお、電圧上昇ではなく、電池パック装着検出スイッチ（図示せず）を設けて検出して
もよい。その場合は、電池パック装着のみの検出を行う。
【００１６】
電池パック装着検出部５４は、電池パック１の装着または瞬断回復を検出すると、電池
パック検出信号５４ａを電源オンオフ部５３および主制御部６へ送信する。主制御部６へ
送信するのは、主制御用電源５１がオンになって主制御部６が立ち上がった時に、どの要
因で主制御用電源５１がオンになったかを主制御部６が確認するためである。
【００１７】
電池パック電圧検出部５５は、電池パック１の電圧値を検出して、これを電源オンオフ
部５３へ送信する。  
電源オンオフ部５３は、主制御用電源５１およびＲＡＭ用電源５２をオンオフ制御する
。その要因として、電池パック装着検出、電池パック１の電圧値、電源スイッチ３、蓋開
け検出スイッチ４がある。また、主制御部６から送信される転送終了信号６ｂも要因の１
つである。この内、電源スイッチ３相当の要因として、図示しない電源オンタイマー等に
よる電源オン要因もある。  
主制御部６、格納メモリ７、およびＲＡＭ８は、バス６ａで接続される。主制御部６は
、ＣＰＵやＩ／Ｏ等を有し、携帯端末の主制御を行う。格納メモリ７は、ブートプログラ
ム、アプリケーションプログラム、携帯端末のアドレス帳などを格納するために、不揮発
性のメモリ、例えばＮＡＮＤ型のフラッシュメモリなどが使用される。不揮発性のメモリ
は比較的、動作速度が遅い。ＲＡＭ８はワーキングメモリとして高速性が要求され、揮発
性のメモリ、例えばＳＤＲＡＭ（同期型ＤＲＡＭ）などが使用される。  
主制御部６は、まず、格納メモリ７からプログラム等をＲＡＭ８へ転送する。この転送
は、例えば１０秒間程度の時間を要し、この間、携帯端末のユーザーを待たせることにな
ってしまう。主制御部６は、転送が終了すると、高速のＲＡＭ８上でプログラムの実行な
どを行う。  
電源制御部５と主制御部６間の情報伝達は、電池パック検出信号５４ａ、転送終了６ｂ
、情報信号５３ａ等により行われるが、これ以外の方法であってもよい。
【００１８】
なお、ユーザーが販売店において携帯端末を購入時には、販売店の加入者情報書込機か
ら携帯端末の図示しないインターフェースを介して、加入者ＩＤ等の加入者情報が加入者
情報メモリ７１に書き込まれる。携帯端末メーカーの工場出荷時には、この加入者情報は
書き込まれていない。以後、この加入者情報が書き込まれている状態を黒ロム状態、加入
者情報が書き込まれていない状態を白ロム状態と称する。  
なお、この加入者情報メモリ７１は、格納メモリ７の内部に設けても良い。また、主制
御部６を構成するＬＳＩ等の内部に設けて、容易に読み出せないように秘匿性を持たせて
もよい。
【実施例１】
【００１９】
電源制御部５のオンオフ制御や主制御部６等の詳細動作について、以下に説明する。実
施例１は、蓋開け検出スイッチ４およびバックアップ電池９を設けない構成である。  
図２は、携帯端末の動作を表すタイムチャートであり、電池パック装着から始まり、電
源スイッチオンとなるまでの間で、電池パックの電圧が所定電圧以上をキープしている場
合を示す。この電池パック電圧の電圧波形は、主制御用電源５１やＲＡＭ用電源５２のオ
ンオフ時の負荷変動に伴う電圧変動は省略して示す。  
この電池パック装着のタイミングは、例えば携帯端末メーカーの工場出荷時であり、電
源スイッチオンのタイミングは、ユーザー購入後などである。
【００２０】
電源制御部５は、電池パック１の装着を検出し、主制御用電源５１およびＲＡＭ用電源
５２がオフ状態の時の電池パック電圧が所定電圧Ｖ１以上であれば、主制御用電源５１お
よびＲＡＭ用電源５２をオンにする（タイミングＴ１）。これは、主制御部６によるプロ
グラム転送の目的のためである。そして、電池パック検出信号５４ａを主制御部６へ送信
する（図２には図示せず）。所定電圧Ｖ１は、電池パック装着から所定期間経過後に電源
スイッチをオンにして、通常動作、例えば５分間の通話動作を行うことを保証できるマー
ジンを持った電圧である。  
主制御部６は、ＲＡＭ８をチェックして所定のプログラム等のデータが転送記録されて
いるかを確認する。最初の電池パック装着であれば、ＲＡＭ８内にはプログラム等のデー
タは記録されていないため（Ｔ２）、主制御部６は、格納メモリ７からプログラム等を読
み出して、ＲＡＭ８へ転送する（Ｔ３）。転送が完了すると（Ｔ４）、主制御部６は、電
池パック検出信号５４ａをチェックして、電池パック装着を要因として主制御用電源５１
がオンになって主制御部６自体が立ち上がったことを認識する。そして、主制御部６は、
転送終了信号６ｂを電源制御部５へ送出する（図２には図示せず）。  
電源制御部５は、転送終了信号６ｂを受信して、主制御用電源５１をオフにし、プログ
ラム等の転送に伴う動作を終了する（Ｔ５）。
【００２１】
以降、電源制御部５は、ＲＡＭ用電源５２のオンを継続して、ＲＡＭ８に転送されたプ
ログラム等を保持する。以降、電池パック電圧は負荷により自然に低下していく。電源制
御部５は、この主制御用電源５１がオフ状態でＲＡＭ用電源５２がオン状態の時の電池パ
ック電圧が所定電圧Ｖ２以上かどうかを確認し続ける（Ｔ６）。この所定電圧Ｖ２も、所
定期間経過後に電源スイッチをオンにして、通常動作、例えば５分間の通話動作を行うこ
とを保証できるマージンを持った電圧である。そして、所定電圧Ｖ２以上であれば、ＲＡ
Ｍ用電源５２のオンを継続する。  
なお、先のＴ１時の所定電圧Ｖ１は、主制御用電源５１およびＲＡＭ用電源５２が共に
オフ状態であるが、Ｔ６時の所定電圧Ｖ２は、主制御用電源５１のみオフ状態である。こ
の負荷状態の差による電圧の差があるために、Ｔ１時の所定電圧Ｖ１とＴ６時の所定電圧
Ｖ２とは若干異なる値に設定してもよい。又は、差がそれほどなければ同じ値でもよい。
【００２２】
次に、所定電圧Ｖ２以上の状態で、ユーザー操作等により電源スイッチ３がオンになる
と、電源制御部５は、主制御用電源５１をオンにする（Ｔ７）。そして、電池パック検出
信号５４ａを否定状態にして主制御部６へ送信する（図２には図示せず）。  
主制御部６は、ＲＡＭ８をチェックして所定のプログラム等のデータが転送記録されて
いるかを確認する。ＲＡＭ用電源５１はオン状態が継続しており、ＲＡＭ８にはプログラ
ム等のデータが保持されているため（Ｔ８）、主制御部６は、プログラム等の転送を行う
必要はない。そして、主制御部６は、電池パック検出信号５４ａが否定状態であれば電源
スイッチ３による電源オンであったとして、以降、ＲＡＭ８のプログラム等により携帯端
末の初期化を行う（Ｔ９）。そして、通常動作に入る（Ｔ１０）。
【００２３】
従って、ユーザーは、電源スイッチをオンにした時には、待たされることなく、短時間
で通常動作に入ることができて、ユーザビリティが向上する。  
また、電源スイッチオン（Ｔ７）直前まで、電池パック電圧が所定電圧以上であったた
めに、所定電圧で保証される残りの動作可能時間分、例えば５分間の通話等の通常動作（
Ｔ１０）の保証も行うことができる。
【００２４】
図３は、携帯端末の動作を表すタイムチャートであり、電池パック装着から始まり電源
スイッチオンとなるまでの間で、電池パックの電圧が所定電圧以下になった場合を示す。
所定電圧以下になる要因として、負荷による自然低下のように徐々に低下する場合がある
。また、電池パックの抜き取りと再装着や電源瞬断のように急激に０ボルト近辺まで低下
する場合がある。図３は、負荷による自然低下により電池パックの電圧が徐々に所定電圧
以下になり、更にその後に瞬断等が発生した場合の動作を示す。図２と異なる箇所につい
て主に説明する。  
図２と同様に、電池パック１の装着からプログラム転送、主制御用電源５１のオフを行
う（Ｔ１〜Ｔ５）。その後、電池パック電圧は負荷やリークにより徐々に低下していく。
そして、主制御用電源５１がオフ状態でＲＡＭ用電源５２がオン状態の時の電池パック電
圧が所定電圧Ｖ２以下になると（Ｔ６）、電源制御部５は、ＲＡＭ用電源５２を強制的に
オフにする（Ｔ７）。その結果、ＲＡＭ８のデータは壊れる。ＲＡＭ用電源５２をオフに
する目的は、ＲＡＭ８への供給電流が停止して、それでも電池パックの電圧はごくゆっく
りと低下するが、所定電圧Ｖ２近辺に長期間保持することができる。そして、電源スイッ
チオン（Ｔ９）後の通常動作（Ｔ１３）を行うことができる電池パック残量を保証できる
。  
次に、Ｔ７以降に、電池パック抜き取りと再装着、又は瞬断が発生すると、電源制御部
５は、電池パック装着を検出してＹＥＳとなる。しかし、電源制御部５は、主制御用電源
５１およびＲＡＭ用電源５２がオフ状態での電池パック電圧が所定電圧Ｖ１以下であれば
、主制御用電源５１およびＲＡＭ用電源５２をオンにしないで、オフ状態を継続する（Ｔ
８）。  
これにより、電池パック抜き取りと再装着、又は瞬断が何回発生しても、電池パック電
圧が所定電圧Ｖ１以下であれば、無駄な動作を防ぐことができ、電源スイッチオン（Ｔ９
）後の通常動作（Ｔ１３）を行うことができる電池パック残量を保証できる。
【００２５】
次に、電源スイッチ３がオンになると、電源制御部５は、主制御用電源５１およびＲＡ
Ｍ用電源５２をオンにする（Ｔ９）。そして、主制御部６は、ＲＡＭ８のプログラム等を
チェックし、そのデータは壊れているので（Ｔ１０）、格納メモリ７からＲＡＭ８へプロ
グラム等を転送する（Ｔ１１）。そして、主制御部６は、初期化（Ｔ１２）、通常動作（
Ｔ１３）を行う。  
これにより、電池パック電圧が所定電圧以下に低下した時に、電源スイッチオン時のユ
ーザーの待ち時間は増えるが壊れたＲＡＭデータのフェールセーフ対応ができると共に、
通常動作を所定時間行うことができる電池パック残量を保証できる。
【００２６】
なお、電池パック再装着や瞬断等の頻度がそれほど多くはないと考えられる場合は、電
池パック装着検出時に電池パック電圧Ｖ１をチェックしないで、毎回、電源をオンにして
プログラム転送を行ってもよい。頻度が少なければ、プログラム転送による電池パックの
残量低下もそれほど発生しないためである。その場合は、電源スイッチオン後のプログラ
ム転送が不要となり、待ち時間を短縮することができる。
【００２７】
図４は、携帯端末の動作を表すタイムチャートであり、電池パック装着から始まり電源
スイッチオンとなるまでの間で、電池パックの電圧が所定電圧以下になった場合を示す。
この所定電圧以下になる要因として、電池パックの抜き取りと再装着、又は電源瞬断によ
り急激に０ボルト近辺まで低下してその後回復した場合の動作を示す。図３と異なる箇所
について主に説明する。  
図３と同様に、電池パック１の装着からプログラム転送、主制御用電源５１のオフを行
う（Ｔ１〜Ｔ５）。その後、電池パック１の抜き取りや電源瞬断により、主制御用電源５
１がオフ状態でＲＡＭ用電源５２がオン状態の時の電池パック電圧が所定電圧Ｖ２以下に
なると（Ｔ６）、電源制御部５は、ＲＡＭ用電源５２をオフにする（Ｔ７）。電池パック
１の抜き取りや電源瞬断であれば、その時点でＲＡＭ８のデータは壊れる。
【００２８】
次に、電池パック１の再装着や瞬断が回復すると、Ｔ１〜Ｔ５と同様に、電源制御部５
は、電池パック装着と見なして、電池パック電圧が所定電圧Ｖ１以上であることを確認し
て、プログラム転送用に主制御用電源５１およびＲＡＭ用電源５２をオンにする（Ｔ８）
。そして、プログラム転送、主制御用電源５１のオフを行い（Ｔ８〜Ｔ１２）、ＲＡＭ８
のプログラム等は復旧する。
【００２９】
以降、電源制御部５は、ＲＡＭ用電源５２のオンを継続して、ＲＡＭ８に転送されたプ
ログラム等を保持する。以降、電池パック電圧は負荷により自然に低下していく。電源制
御部５は、この主制御用電源５１がオフ状態でＲＡＭ用電源５２がオン状態の時の電池パ
ック電圧が所定電圧Ｖ２以上かどうかを確認し続ける（Ｔ１３）。
【００３０】
そして、電源スイッチ３がオンになると、電源制御部５は、主制御用電源５１をオンに
する（Ｔ１４）。主制御部６は、ＲＡＭ８のプログラム等のデータが正常であることを確
認し（Ｔ１５）、ＲＡＭ８のプログラム等により携帯端末の初期化を行い（Ｔ１６）、通
常動作に入る（Ｔ１７）。
【００３１】
このように、電池パック抜き取りや瞬断が発生してＲＡＭデータが壊れても、電池パッ
ク再装着や瞬断回復後の電池パック電圧が所定電圧以上であればプログラム等の再転送を
行って、電源スイッチオン後の待ち時間を短縮することができる。
【００３２】
以上、図２〜図４で説明したように、電源スイッチオン後の待ち受け時間の短縮効果と
共に、電源スイッチオン以前の電池パック電圧をチェックして、ＲＡＭデータが壊れた時
のフェールセーフを行い、また、電池パック電圧の持ちを良くして、電源オン後の所定動
作の保証を行うことができる。
【００３３】
また、図３および図４で説明したように、電圧低下の原因が自然低下か瞬断等の急激低
下のいずれであっても、どちらにも対応することができ、電源制御部５で判別する必要が
ないため、電源制御部５のハード構成を簡素化することができる。
【実施例２】
【００３４】
実施例２は、蓋開け検出スイッチ４は設けず、ＲＡＭ８用のバックアップ電池９を設け
た構成である。  
なお、ＲＡＭ８用のＲＡＭ用電源５２も設ける構成としてもよい。そして、実施例１に
示したように電池パックの所定電圧をチェックして、ＲＡＭ用電源５２のオンオフ制御を
行ってもよい。その場合は、ＲＡＭ用電源５２がオン状態の時は、ＲＡＭ用電源５２から
ＲＡＭ８へ電源供給が行われ、ＲＡＭ用電源５２がオフ状態の時は、バックアップ電池９
からＲＡＭ８へ電源供給が行われる。それにより、実施例１と同様に、電源スイッチオン
後の所定動作の保証を行うことができる。  
また、バックアップ電池９の容量が大きい場合などは、ＲＡＭ用電源５２を設けない構
成としてもよい。その場合は、常時、バックアップ電池９からＲＡＭ８へ電源供給が行わ
れる。いずれの構成でも、ＲＡＭ８のデータは保証される。
【００３５】
図５は、携帯端末の動作を表すタイムチャートであり、ＲＡＭ用のバックアップ電池を
設け、プログラム等の転送中に電池パックの抜き取りと再装着、又は電源瞬断が発生した
場合の動作を示す。  
電源制御部５は、電池パック１の装着を検出し、主制御用電源５１およびＲＡＭ用電源
５２がオフ状態の時の電池パック電圧が所定電圧Ｖ１以上であれば、主制御用電源５１を
オンにする（タイミングＴ１）。なお、ＲＡＭ用電源５２のオンオフ制御を行わない場合
は、所定電圧Ｖ１以上の判断は不要であり、電池パック１の装着検出のみでよい。  
主制御部６は、ＲＡＭ８をチェックして所定のプログラム等のデータが転送記録されて
いるかを確認し、記録されていなければ（Ｔ２）、格納メモリ７からプログラム等を読み
出して、ＲＡＭ８へ転送する（Ｔ３）。この転送途中に電池パック１の抜き取りや瞬断が
発生すると、電池パック１から電源供給を受けている主制御用電源５１はオフになってし
まい（Ｔ４）、転送は途中までで終わってしまう。
【００３６】
次に、電池パック１の再装着や瞬断が回復すると、電源制御部５は、電池パック１の装
着を検出し、主制御用電源５１を再びオンにする（Ｔ５）。そして、主制御部６は、ＲＡ
Ｍ８をチェックして所定のプログラム等のデータが転送記録されているかを確認し、完了
しないで途中まで記録されていれば（Ｔ６）、その続きを格納メモリ７から読み出して、
ＲＡＭ８へ転送する（Ｔ７）。そして、転送が完了すると（Ｔ４）、主制御部６は、転送
終了信号６ｂを電源制御部５へ送出し、電源制御部５は、主制御用電源５１をオフにする
（Ｔ９）。  
この転送完了後に、再度、電池パック１の抜き取りや瞬断が発生し、電池パック１の再
装着や瞬断が回復すると、電源制御部５は、電池パック１の装着を検出し、主制御用電源
５１を再びオンにする（Ｔ１０）。そして、主制御部６は、ＲＡＭ８をチェックしてプロ
グラム等のデータが転送記録されているかを確認し、完了していれば（Ｔ１１）、転送処
理を行わずに、転送終了信号６ｂを電源制御部５へ送出し、電源制御部５は、主制御用電
源５１をオフにする（Ｔ１２）。  
これにより、電池パック１の抜き取りや瞬断が何回発生しても、主制御用電源５１は短
時間オンになるだけであり、電流消費を抑えることができる。
【００３７】
次に、電源スイッチ３がオンになると、電源制御部５は、主制御用電源５１をオンにす
る（Ｔ１３）。そして、主制御部６は、ＲＡＭ８をチェックして所定のプログラム等のデ
ータが転送記録されていることを確認し（Ｔ１４）、ＲＡＭ８のプログラム等により携帯
端末の初期化を行い（Ｔ１５）、通常動作に入る（Ｔ１６）。
【００３８】
実施例２によれば、プログラム等の転送途中の瞬断等に対して、途中から転送し直すこ
とにより、転送時間を短縮することができる。また、電池パック１の抜き取りや瞬断が何
回発生しても、主制御用電源５１は短時間オンになるだけであり、電流消費を抑えること
ができる。
【実施例３】
【００３９】
図６は、折り畳み式携帯端末の動作を表すタイムチャートであり、折り畳み式の蓋開け
を検出した時の動作を示す。  
この動作は、ユーザーが折り畳み式携帯端末の電源を入れるために、まず、折り畳み式
の蓋を開く操作を行い、すぐに電源スイッチ押下を行う場合を示す。
【００４０】
電池パック１が装着された状態でユーザーが折り畳み式の蓋を開く操作を行うと、電源
制御部５は、蓋開け検出スイッチ４のオンを検出し（Ｔ１）、主制御用電源５１およびＲ
ＡＭ用電源５２をオンにする。また、蓋開け検出信号（電池パック検出信号５４ａが兼ね
る）を主制御部６へ送信する。これは、主制御用電源５１がオンになった要因が蓋開け検
出であることを主制御部６へ通知するためである。  
主制御用電源５１がオンになって主制御部６が立ち上がり、主制御部６は、ＲＡＭ８を
チェックして所定のプログラム等のデータが転送記録されているかを確認し（Ｔ２）、格
納メモリ７からプログラム等を読み出して、ＲＡＭ８へ転送する（Ｔ３）。この転送は、
例えば１０秒間程度かかるために、ユーザーはこの途中段階で、次の操作の電源スイッチ
３を押下することになる。電源オン操作は一般的には、電源スイッチ３を一定時間押下し
続けた段階でオンが検出され（Ｔ４）、電源制御部５は、蓋開け検出信号を否定状態にし
て主制御部６へ送信する。これは、主制御用電源５１がオンになった要因が電源スイッチ
オン要因であることを主制御部６へ通知するためである。
【００４１】
主制御部６は、蓋開け検出信号が否定状態になると通常の表示動作を開始する（Ｔ５）
。この時点からユーザーは待たされている実感を持つことになる。  
そして、主制御部６は、プログラム転送が完了すると（Ｔ６）、蓋開け検出信号が否定
状態であることを確認して、初期化を行い（Ｔ８）、通常動作に入る（Ｔ９）。この通常
動作に入った段階（Ｔ９）で、ユーザーは待ち状態から開放される。  
従って、従来のように、電源スイッチオンでプログラム転送を開始していた場合に比べ
て、待ち時間の短縮を行うことができ、ユーザビリティが向上する。
【００４２】
［実施例１〜実施例３共通］
図７および図８は、実施例１〜実施例３共通の動作フローチャートであり、図７は電源
制御部の動作フローチャート、図８は主制御部の動作フローチャートである。  
図７について説明する。電源制御部は、２系統の動作を並行して行う。１つは電池パッ
ク装着時等のプログラム転送専用の電源制御動作（ステップＳ１）であり、電池パック装
着時、瞬断回復時、蓋開け検出時などである。もう１つは通常の電源オン要因（ステップ
Ｓ２０）であり、電源スイッチ押下時や電源タイマー経過時など、携帯端末本来の通常動
作を行う場合である。
【００４３】
ステップＳ１においては、電池パック装着、瞬断回復、蓋開け検出をチェックし（Ｓ２
）、アクティブ状態を待つ（Ｓ２、Ｓ３）。そして、アクティブ状態が発生すれば（Ｓ３
でＹＥＳ）、電池パック電圧をチェックし（Ｓ４）、所定電圧Ｖ１以下であれば何もしな
いで待ち状態になる。所定電圧Ｖ１以上であれば、電池パック検出信号を主制御部へ送信
する（Ｓ５）。これは、これから行う主制御用電源オンの要因が電池パック装着等であり
、プログラム転送の専用動作用であることを主制御部に通知するためである。
【００４４】
そして、主制御用電源およびＲＡＭ用電源をオンにする（Ｓ６、Ｓ７）。そして、主制
御部が格納メモリからＲＡＭへのプログラム等の転送を終了して、主制御部からのプログ
ラム転送の終了信号を待つ（Ｓ８）。転送終了信号を受信すると（Ｓ８のＹＥＳ）、主制
御部の動作は不要となるので、主制御用電源をオフにする。
【００４５】
そして、電池パック電圧を監視し（Ｓ１０）、所定電圧Ｖ２以下になったら、電池パッ
クの持ち時間を持たせるため等の目的でＲＡＭ用電源をオフにする（Ｓ１１）。
【００４６】
次に、ステップＳ２０について説明する。電源スイッチや電源タイマー等の電源オン要
因をチェックし、アクティブ状態を待つ（Ｓ２１）。そして、アクティブ状態が発生すれ
ば（Ｓ２１でＹＥＳ）、電池パック検出信号を否定状態にして主制御部へ送信する（Ｓ２
２）。これは、これから行う主制御用電源オンの要因が電源スイッチ等であり、通常の動
作用であることを主制御部に通知するためである。
【００４７】
そして、主制御用電源およびＲＡＭ用電源をオンにする（Ｓ２３、Ｓ２４）。そして、
電源スイッチオフ等の電源オフ要因を待ち（Ｓ２５）、電源オフ要因が発生すると（Ｓ２
５でＹＥＳ）、主制御用電源をオフにする（Ｓ２６）。ＲＡＭ用電源に対しては、ＲＡＭ
に転送されたプログラム等を保持するために電源オンを継続する。
【００４８】
図８について以下に説明する。主制御用電源がオンになって主制御部が立ち上がると（
Ｓ５０）、主制御部は、ＲＡＭに所定のプログラム等が記録されているかをチェックする
（Ｓ５１、Ｓ５２）。そして、Ｓ５２でデータ無しであれば、格納メモリからＲＡＭへプ
ログラム等をすべて転送する（Ｓ５３）。Ｓ５２で途中までのデータがあれば、格納メモ
リからＲＡＭへ未了分を転送する（Ｓ５４）。Ｓ５２で完了していれば、何もしない。そ
して、いずれの場合も転送終了信号を電源制御部へ送信する（Ｓ５５）。
【００４９】
次に、電源制御部からの電池パック検出信号をチェックし（Ｓ５６）、ＹＥＳであれば
、これは、電池パック装着等で主制御用電源が立ち上がり、プログラム転送専用であるこ
とを意味するため、何もしないでループし、主制御用電源がオフされることを待つ。
【００５０】
電池パック検出信号が否定状態であれば（Ｓ５６でＮＯ）、これは、通常の電源オン要
因で主制御用電源が立ち上がったことを意味し、次に、ＲＡＭ上のプログラムで初期化を
行い（Ｓ５７）、通常処理に入る（Ｓ５８）。
【００５１】
以上の動作フローチャートにより、実施例１〜実施例３に示した動作を実行することが
できる。
【００５２】
なお、各実施例では、主制御用電源のオンオフ制御を行ったが、主制御用電源のオン操
作はその負荷をウェイクアップ状態にし、主制御用電源のオフ操作はその負荷をスリープ
状態にすることであってもよい。他の電源制御も同様である。
【実施例４】
【００５３】
図９は、実施例４に係る携帯端末の動作フローチャートである。  
アプリケーションとして、携帯端末は、白ロム状態でメーカーの出荷時点の動作を経て
出荷されて販売店の在庫状態にあり、次に、販売店等でユーザー購入時の加入者契約時の
動作を行って白ロム状態から黒ロム状態となり、次に、ユーザーが通常の使用を行う場合
などに対応する。なお、加入者契約時に、販売店の加入者情報書込機から携帯端末の加入
者情報メモリ７１に加入者ＩＤ等の加入者情報を書き込んで白ロム状態から黒ロム状態に
する動作については図示しない。
【００５４】
（メーカー出荷時点の動作）
携帯端末のメーカー出荷時点等において、電池パックが装着されると、電源制御部は、
これを検出して（Ｓ７０）、主制御用電源およびＲＡＭ用電源をオンにする（Ｓ７１、Ｓ
７２）。又は、通常の電源スイッチオン等で携帯端末の電源が立ち上がって所定の動作状
態に入り、その後、電源スイッチオフ要因が発生すると、電源制御部および主制御部は、
これを検出する（Ｓ７３）。なお、電源制御部と主制御部間の種々の情報連絡は、図１に
示した情報信号５３ａを使用する。  
これらのＳ７０又はＳ７３の状態が検出されると、次に、主制御部は、加入者情報メモ
リ７１をチェックする（Ｓ７４）。メーカー出荷時は、白ロム状態であり（Ｓ７４で白ロ
ム）、格納メモリ７からＲＡＭ８へのプログラム等の転送は行わない（Ｓ７９）。そして
、電源制御部は、ＲＡＭ用電源および主制御用電源をオフにする（Ｓ８０、Ｓ８１）。  
この時、携帯端末は状態２の状態になる。これは、主制御用電源オフ状態、ＲＡＭ用電
源オフ状態、ＲＡＭにプログラム等が保存されてない状態である。この状態２では、電池
パックの電力消費はごく小さくて済む。従って、メーカー出荷時から販売店の在庫状態を
経て、販売店等でユーザー購入時の加入者契約時までの所定の長期間、電池パック残量を
保証することができる。そして、加入者契約用の所定の携帯端末動作を行うための電池パ
ック残量を確保できる。
【００５５】
（販売店等でユーザー購入時の加入者契約時の動作）
この時点では、メーカー出荷時から所定の期間内であれば、電池パック残量が残ってお
り、電池パックを充電しなくても、加入者契約用の動作を行うことができる。この加入者
契約用の動作については図示しないが、携帯端末の電源スイッチをオンにして、販売店の
加入者情報書込機から携帯端末の加入者情報メモリ７１に加入者ＩＤ等の加入者情報が書
き込まれる。これにより、携帯端末は黒ロム状態となる。
【００５６】
また、加入者契約直後のユーザー使用開始時点においても、メーカー出荷時から所定の
期間内であれば、電池パックを充電しなくても、所定のたとえば５分間の通話動作を行う
ことができる。
【００５７】
（加入者契約後のユーザーによる電池パック装着）
ユーザーにより、電池パックが装着されると、電源制御部は、これを検出して（Ｓ７０
）、主制御用電源およびＲＡＭ用電源をオンにする（Ｓ７１、Ｓ７２）。この電池パック
の装着は頻繁には行われないので、通常の電源スイッチオン後の電源スイッチオフ要因の
検出も行う（Ｓ７３）。  
次に、主制御部は、加入者情報メモリ７１をチェックする（Ｓ７４）。加入者情報メモ
リ７１は黒ロム状態になっており（Ｓ７４で黒ロム）、格納メモリ７からＲＡＭ８へのプ
ログラムや電話帳データ等の転送を行う（Ｓ７５）。これにより、電池パック装着時のみ
ではなく、毎回の電源スイッチオフ毎に、プログラム情報や最新の電話帳データ等を転送
することができる。そして、電源制御部は、主制御用電源をオフにする（Ｓ７６）。ＲＡ
Ｍ用電源はオンを継続する。  
次に、電源制御部は、電池パック電圧をチェックする（Ｓ７７）。これが所定電圧以上
であれば、何もしない。この時、携帯端末は状態１の状態にある。これは、主制御用電源
オフ状態、ＲＡＭ用電源オン状態、ＲＡＭにプログラム等が保存されている状態である。
この状態１では、ＲＡＭにプログラム等が保存されているため、ユーザーが電源スイッ
チオン操作を行って通常の電源オン状態になった時には、主制御部は、プログラム等が保
存されているＲＡＭ上ですぐに初期化プログラム等を実行して通常動作に入ることができ
、ユーザーを待たせることがなくなり、ユーザビリティを上げることができる。
【００５８】
ステップＳ７７で所定電圧以下となった場合は、ＲＡＭ用電源をオフにする（Ｓ７８）
。この時、携帯端末は状態２の状態になる。これにより、ＲＡＭのプログラム等は壊れる
ため、ユーザーが電源スイッチオン操作を行って通常の電源オン状態になった時には、主
制御部は、再度、格納メモリ７からＲＡＭ８へのプログラム等の転送を行ってから、ＲＡ
Ｍ上で初期化プログラム等を実行して通常動作に入らなければならない。このため、立ち
上がり時間がかかるが、それと引き換えに、電池パックの持ちを良くすることができる。
すなわち、所定電圧以上の時は、ユーザーが電源スイッチオン操作後の立ち上がりを速
くしてユーザビリティを上げる。所定電圧以下に下がった時は、電源スイッチオン操作後
の立ち上がりを遅くして電池持ちを良くすることができる。
【００５９】
実施例４では、ユーザー使用時の電源オン後の立ち上がりを速くすると共に、携帯端末
メーカーの工場出荷時からユーザー使用に至るまでのバッテリー消耗の低減を行ってユー
ザー初期使用時の所定動作の保証をも行うことが可能となる。
【図面の簡単な説明】
【００６０】
【図１】本発明の各実施例に係る携帯端末の主要部の構成を示すブロック図。
【図２】本発明の実施例１に係る携帯端末の動作を表すタイムチャート（所定電圧以上の場合）。
【図３】本発明の実施例１に係る携帯端末の動作を表すタイムチャート（所定電圧以下に自然低下した場合）。
【図４】本発明の実施例１に係る携帯端末の動作を表すタイムチャート（所定電圧以下に瞬断等で低下した場合）。
【図５】本発明の実施例２に係る携帯端末の動作を表すタイムチャート（ＲＡＭ用のバックアップ電池を設ける場合）。
【図６】本発明の実施例３に係る携帯端末の動作を表すタイムチャート（蓋開け検出でプログラム転送）。
【図７】本発明の各実施例に係る携帯端末の電源制御部の動作フローチャート。
【図８】本発明の各実施例に係る携帯端末の主制御部の動作フローチャート。
【図９】本発明の実施例４に係る携帯端末の動作フローチャート。
【符号の説明】
【００６１】
１  電池パック
２  コネクタ
３  電源スイッチ
４  蓋開け検出スイッチ
５  電源制御部
６  主制御部
７  格納メモリ
８  ＲＡＭ
９  バックアップ電池
５１  主制御用電源
５２  ＲＡＭ用電源
５３  電源オンオフ部
５４  電池パック装着検出部
５５  電池パック電圧検出部
７１  加入者情報メモリ
【図１】
2006135848.tif 000003
【図２】
2006135848.tif 000004
【図３】
2006135848.tif 000005
【図４】
2006135848.tif 000006
【図５】
2006135848.tif 000007
【図６】
2006135848.tif 000008
【図７】
2006135848.tif 000009
【図８】
2006135848.tif 000010
【図９】
2006135848.tif 000011